(57)【要約】【課題】  光学式ピックアップによりディスクに信号を記録することが出来る光ディスク記録再生装置の記録制御方法を提供する。【解決手段】  第１信号記録領域における記録動作を行っているときバッファアンダーランによる記録中断再開動作が行われる回数をカウントするバッファアンダーラン回数カウント回路１５を設け、第１信号記録領域におけるバッファアンダーランによる記録中断再開動作の回数が所定回数以上発生したとき、第２信号記録領域における記録動作を第１線速度より高速である第２線速度に変更しないで第１線速度のままで行う。【選択図】    図１
2005196911.tif 000002
【特許請求の範囲】
【請求項１】
バッファ用ＲＡＭに一旦記憶された信号を読み出すことによってディスクに該信号を記録するように構成されているとともに該バッファ用ＲＡＭに記憶されている信号の容量が不足するバッファアンダーラン状態になったとき記録動作を中断させ、信号の容量が増加したとき記録中断位置から記録動作を再開させることが出来るように構成され、且つ記録位置が低速の第１線速度による記録動作を行う第１信号記録領域から高速の第２線速度による記録動作を行う第２信号記録領域に移動したときディスクの回転速度変更を行うように構成された光ディスク記録再生装置の記録制御方法であり、第１信号記録領域における記録動作を行っているときバッファアンダーランによる記録中断再開動作が行われる回数をカウントするバッファアンダーラン回数カウント回路を設け、第１信号記録領域におけるバッファアンダーランによる記録中断再開動作の回数が所定回数以上発生したとき、第２信号記録領域における記録動作を第１線速度にて行うようにしたことを特徴とする光ディスク記録再生装置の記録制御方法。
【請求項２】
記録位置が第１信号記録領域から第２信号記録領域の境界に達したとき、信号の記録動作を一旦中断させた状態でディスクの回転速度の変更動作を行うようにしたことを特徴とする請求項１に記載の記録制御方法。
【請求項３】
ディスクの回転速度が第２線速度にて安定したとき、信号の記録動作を開始させるようにしたことを特徴とする請求項２に記載の記録制御方法。
【発明の詳細な説明】
【技術分野】
【０００１】
本発明は、光学式ピックアップより照射されるレーザー光によってディスクに信号を記録するとともにレーザー光によってディスクに記録されている信号の再生動作を行うように構成された光ディスク記録再生装置の記録制御方法に関する。
【背景技術】
【０００２】
光学式ピックアップを用いてディスクに記録されている信号の読み出し動作を行うディスクプレーヤーが普及しているが、再生機能に加えて光学式ピックアップより照射されるレーザー光によってディスクに信号を記録することが出来るように構成された光ディスク記録再生装置が商品化されている。
【０００３】
コンピューター装置と接続されて使用される光ディスク記録再生装置は、ディスクへの記録動作を短時間にて行うことが要求されるため、最近では、規定の線速度だけでなく、規定の線速度に対して高速度である４倍、８倍等の線速度一定の状態にてディスクを回転制御させた状態で信号の記録動作を行うことが出来るように構成されている。
【０００４】
コンピューター装置から出力される記録信号は、バッファ用ＲＡＭに一旦記憶された後ディスクへの記録速度に応じて該バッファ用ＲＡＭから読み出されるように構成されている。斯かる構成において、ディスクへの記録速度に対してコンピューター装置から送信される記録信号の量が不足するとバッファアンダーランと呼ばれる現象が発生し、ディスクへの記録動作が正常に行えなくなるという問題がある。
【０００５】
斯かる問題を解決する方法として、バッファアンダーラン状態になると、ディスクへの記録動作を一旦中断させるとともにバッファ用ＲＡＭに記憶される信号の量が増大した場合に記録中断位置から信号が連続するように記録動作を再開させるようにされた技術が開発されている(例えば、特許文献１参照。)。
【０００６】
また、ディスク回転制御動作を線速度一定になるようにすると、ディスクの回転速度は外周側に対して内周側の方が高速になるという特性がある。ディスクの線速度を内周側から外周側まで同一にし、且つ外周側における線速度を高速にすると内周側におけるスピンドルモーターの回転速度が非常に高速になるため外モーターに負担がかかるだけでなく速度制御が困難になるという問題がある。
【０００７】
斯かる問題を解決する方法として、ディスクの内周側では、低速の線速度一定の状態にてディスクを回転させて記録動作を行い、記録位置が外周側に移動したときディスクの線速度を高速側に変更して記録動作を行うようにした技術、即ちゾーンＣＬＶと呼ばれる技術が開発されている(例えば、特許文献２参照。)。
【特許文献１】特開２０００−４０３０２号公報
【特許文献２】特開２００２−５６５３３号公報
【発明の開示】
【発明が解決しようとする課題】
【０００８】
ゾーンＣＬＶによる記録動作は、内周側では低速の線速度一定の状態にてディスクを回転駆動した状態で信号の記録動作を行い、外周側では高速の線速度一定の状態にてディスクを回転駆動した状態で信号の記録動作を行うように構成されているが、コンピューター
装置から送信される記録信号の容量が不足すると内周側においてもバッファアンダーランが発生し記録中断再開動作が行われることになる。そして、斯かるバッファアンダーランの発生する頻度は、高速の線速度一定の状態による記録動作を行う外周側で多くなる。斯かる記録中断再開動作が行われる回数が多くなると、ディスクにコンピューター装置から送信される信号を記録するために要する時間が長くなるという問題がある。
【０００９】
本発明は、斯かる問題を解決することが出来る光ディスク記録再生装置の記録制御方法を提供しようとするものである。
【課題を解決するための手段】
【００１０】
本発明は、バッファ用ＲＡＭに一旦記憶された信号を読み出すことによってディスクに該信号を記録するように構成されているとともに該バッファ用ＲＡＭに記憶されている信号の容量が不足するバッファアンダーラン状態になったとき記録動作を中断させ、信号の容量が増加したとき記録中断位置から記録動作を再開させることが出来るように構成され、且つ記録位置が低速の第１線速度による記録動作を行う第１信号記録領域から高速の第２線速度による記録動作を行う第２信号記録領域に移動したときディスクの回転速度変更を行うように構成された光ディスク記録再生装置の記録制御方法であり、第１信号記録領域における記録動作を行っているときバッファアンダーランによる記録中断再開動作が行われる回数をカウントするバッファアンダーラン回数カウント回路を設け、第１信号記録領域におけるバッファアンダーランによる記録中断再開動作の回数が所定回数以上発生したとき、第２信号記録領域における記録動作を第１線速度にて行うように構成されている。
【００１１】
また、本発明は、記録位置が第１信号記録領域から第２信号記録領域の境界に達したとき、信号の記録動作を一旦中断させた状態でディスクの回転速度の変更動作を行うように構成されている。
【００１２】
そして、本発明は、ディスクの回転速度が第２線速度にて安定したとき、信号の記録動作を開始させるように構成されている。
【発明の効果】
【００１３】
本発明は、バッファ用ＲＡＭに一旦記憶された信号を読み出すことによってディスクに該信号を記録するように構成されているとともに該バッファ用ＲＡＭに記憶されている信号の容量が不足するバッファアンダーラン状態になったとき記録動作を中断させ、信号の容量が増加したとき記録中断位置から記録動作を再開させることが出来るように構成され、且つ記録位置が低速の第１線速度による記録動作を行う第１信号記録領域から高速の第２線速度による記録動作を行う第２信号記録領域に移動したときディスクの回転速度変更を行うように構成された光ディスク記録再生装置の記録制御方法であり、第１信号記録領域における記録動作を行っているときバッファアンダーランによる記録中断再開動作が行われる回数をカウントするバッファアンダーラン回数カウント回路を設け、第１信号記録領域におけるバッファアンダーランによる記録中断再開動作の回数が所定回数以上発生したとき、第２信号記録領域における記録動作を第１線速度にて行うようにしたので、バッファアンダーランによる記録中断再開動作が行われる回数を減らすことが出来、その結果ディスクへの記録時間を短縮することが出来る。
【００１４】
また、本発明は、記録位置が第１信号記録領域から第２信号記録領域の境界に達したとき、信号の記録動作を一旦中断させた状態でディスクの回転速度の変更動作を行うようにしたので、信号の記録特性を良好にすることが出来る。
【００１５】
そして、本発明は、ディスクの回転速度が第２線速度にて安定したとき、信号の記録動
作を開始させるようにしたので、信号の連続性を維持する記録動作を正確に行うことが出来る。
【発明を実施するための最良の形態】
【００１６】
本発明は、バッファアンダーランによる記録中断再開動作の回数をカウントすることによって記録速度の変更動作を制御するようにしたものである。
【実施例１】
【００１７】
図１は本発明に係る光ディスク記録再生装置の一実施例を示す回路図、図２は本発明に係る光ディスクを示す平面図である。
【００１８】
図２において、ディスク１の内周側には、ディスクへ信号の記録動作を行うレーザー出力を設定するために使用される試し書き領域Ａやディスクに記録されている信号の位置情報等が記録されるＰＭＡ領域Ｂが設けられている。前記ＰＭＡ領域の外周側には信号が記録される信号記録領域が設けられており、第１線速度一定にて信号が記録される第１信号記録領域Ｃ及び第１線速度より高速の第２線速度一定にて信号が記録される第２信号記録領域Ｄにて構成されている。
【００１９】
図１において、２は前記ディスク１が載置されるターンテーブルであり、スピンドルモーター３によって線速度一定になるように回転駆動されるように構成されている。前記ディスク１には、ディスク上の位置を示す位置情報データがプリグルーブと呼ばれる蛇行した溝によって記録されており、光ディスク記録再生装置では、この溝より得られるウォブル信号に基いて信号の記録再生動作や信号の記録位置の認識動作を行うように構成されている。
【００２０】
４はディスク１に照射されるレーザー光を放射するレーザーダイオード及び該レーザーダイオードから放射されるレーザー光の発光量をモニターするモニター用ダイオードが組み込まれているとともにディスク１の信号面から反射されるレーザー光を受ける光検出器が組み込まれている光学式ピックアップであり、ピックアップ送り用モーター(図示せず)によってディスク１の径方向に移動せしめられるように構成されている。また、前記光学式ピックアップ４内には、対物レンズ(図示せず)をディスク１の面方向へ変位させるフォーカシングコイルや対物レンズをディスク１の径方向へ変位させるトラッキングコイルが周知のように組み込まれている。
【００２１】
５は前記光学式ピックアップ４に組み込まれている光検出器より得られるＲＦ信号が入力されるとともに該信号を増幅するＲＦ信号増幅回路であり、ＲＦ信号を成形して２値化した信号を出力するように構成されている。６は前記光学式ピックアップ４に組み込まれている光検出器から得られる信号に基いてレーザーダイオードから放射されるレーザー光をディスク１の信号面に合焦させるフォーカシング制御動作及び該レーザー光を信号面の信号トラックに追従させるトラッキング制御動作を行うピックアップ制御回路であり、トラッキングエラー信号に基づくトラッキング制御信号及びフォーカスエラー信号に基くフォーカシング制御信号を前記フォーカシングコイル及びトラッキングコイルに対して出力するように構成されている。
【００２２】
７は前記ＲＦ信号増幅回路５より出力される２値化信号が入力されるとともに該信号のデジタル信号処理を行うデジタル信号処理回路であり、光ディスク記録再生の記録再生動作等を行うために使用される各種信号の復調動作を行う行うように構成されている。
【００２３】
８は前記デジタル信号処理回路７にて信号処理されたデジタル信号が入力される信号再生用回路であり、ディスク１に記録されている信号に対応した信号を出力するように、即
ち再生される信号がオーディオ信号の場合には、アナログ信号に変換した後増幅器等に出力し、コンピューターソフトのようなデータ信号の場合にはデジタル信号のままホストとして接続されているコンピューター装置９に出力するように構成されている。
【００２４】
１０は前記デジタル信号処理回路７によって復調される各種の信号が入力されるとともに前記コンピューター装置９から出力される命令信号に応じて種々な制御動作を行うシステム制御回路であり、ディスク１から再生される同期信号に基いて信号再生用や信号記録用のクロック信号等を生成するクロック信号生成回路(図示せず)が周知のように組み込まれている。１１は前記システム制御回路１０によって信号の書込み動作及び読み出し動作が制御されるバッファ用ＲＡＭであり、前記コンピューター装置９から出力される記録信号が一時的に記憶されるとともディスク１への記録動作に伴って記憶されている信号の読み出し動作が行われるように構成されている。
【００２５】
１２は前記光学式ピックアップ４に組み込まれているレーザーダイオードに駆動信号を供給するレーザー駆動回路、１３は記録信号をディスク１に記録するための信号をエンコードして前記レーザー駆動回路１２に供給する信号記録用回路であり、レーザー出力の設定動作時テスト信号を出力するとともにコンピューター装置９から出力される記録信号を出力するように構成されている。
【００２６】
１４は前記システム制御回路１０によって動作が制御されるスピンドルモーター駆動回路であり、前記スピンドルモーター３を第１の線速度一定の状態及び第１線速度より高速である第２線速度一定の状態にて回転駆動するように構成されている。
【００２７】
斯かる構成において、コンピューター装置９から出力される記録信号は、一旦バッファ用ＲＡＭ１１に記憶された後ディスク１への記録動作に応じて該バッファ用ＲＡＭ１１から読み出されてディスク１に記録されるが、該バッファ用ＲＡＭ１１に記憶されている記録信号の容量が不足すると、即ちバッファアンダーランの状態になるとディスク１への記録動作が中断され、記録信号の量が記録可能な容量に達するとディスク１への記録動作が再開されるように構成されている。
【００２８】
バッファアンダーラン状態になった場合における記録中断再開動作は、特許文献１に記載されている技術等を利用すれば容易に行うことが出来るのでその説明は省略する。１５は前記バッファアンダーランによる記録中断再開動作が行われる毎にその回数をカウントするバッファアンダーラン回数カウント回路である。
【００２９】
斯かる構成において、第１信号記録領域Ｃでは、低速である第１線速度一定の状態にて信号の記録動作を行い、第２信号記録領域Ｄでは、高速である第２線速度一定の状態にて信号の記録動作を行うように構成されている。斯かる記録速度に対応したデジタル信号処理回路７、バッファ用ＲＡＭ１１、レーザー駆動回路１２、信号記録用回路１３及びスピンドルモーター駆動回路１４等の切換制御動作は、システム制御回路１０によって行われる。
【００３０】
また、記録動作状態において、記録位置が第１信号記録領域Ｃと第２信号記録領域Ｄの境界に達すると、ディスク１への信号の記録動作を一旦中断させた後ディスクの回転速度を第２線速度一定の状態に変更し、その回転速度が第２線速度一定の状態に安定したとき記録動作を再開させるように構成されている。
【００３１】
そして、本発明は、第１信号記録領域Ｃへの信号の記録動作が行われているときバッファアンダーランによる記録中断再開動作が行われる回数をバッファアンダーラン回数カウント回路１５がカウントしており、その回数が所定の回数に達した場合には、記録位置が
第２信号記録領域Ｄに達しても記録線速度の変更動作を行わないで第１線速度一定の状態のままで記録動作を続けるように構成されている。
【００３２】
以上に説明したように本発明に係る光ディスク記録再生装置は構成されているが、次に動作について説明する。光ディスク記録再生装置の各種の動作は、コンピューター装置９から出力される命令信号に基いて行われるが、記録動作や再生動作が行われている状態では、光学式ピックアップ４に組み込まれている光検出器より得られる信号からフォーカスエラー信号やトラッキングエラー信号が生成され、その生成されたエラー信号に基いてフォーカシング制御動作及びトラッキング制御動作を行うための制御動作がピックアップ制御回路６によって行われる。
【００３３】
前記ピックアップ制御回路６による各制御動作が行われると、該ピックアップ制御回路６よりフォーカシングコイル及びトラッキングコイルに対して駆動制御信号が出力される。斯かる駆動制御信号は、フォーカスエラー信号やトラッキングエラー信号のレベルを小さくする方向に対物レンズを変位させるので、光学式ピックアップ４から照射されるレーザー光をディスク１上の信号面に合焦させるフォーカシング制御動作及び信号トラックに追従させるトラッキング制御動作を行うことが出来る。
【００３４】
以上に説明したようにピックアップ制御回路６によるフォーカシング制御動作及びトラッキング制御動作は行われるが、次に斯様に構成された回路における再生動作について説明する。コンピューター装置９から光ディスク記録再生装置を構成するシステム制御回路１０に対して再生動作を行うための命令信号が出力されると、該システム制御回路１０による再生動作のための制御動作が開始される。斯かる再生動作が行われる場合には、光学式ピックアップ４に組み込まれているレーザーダイオードには、再生動作を行うために必要なレーザー出力が得られる駆動電流がレーザー駆動回路１２より供給される。
【００３５】
斯かる再生動作のための制御動作が開始されると、スピンドルモーター駆動回路１４によるスピンドルモーター３の回転制御動作が行われるが、斯かるスピンドルモーター３の回転制御動作は、ウォブル信号をデコードして得られる同期信号と基準信号生成回路(図示せず)より出力される基準信号とを比較することによりディスク１を第１信号記録領域Ｃでは第１線速度一定にて、第２信号記録領域Ｄでは第２線速度一定にて回転駆動するように行われる。斯かるディスク１の回転駆動動作は、後述する信号の記録動作時にも同様に行われる。
【００３６】
スピンドルモーター３の回転制御動作は、以上の如く行われるが、信号の読み出し動作を行う光学式ピックアップ４では、前述したフォーカシング制御動作及びトラッキング制御動作が行われる。斯かる制御動作が行われる結果、光学式ピックアップ４によるディスク１からの信号の読み出し動作が開始されるが、再生動作に先立ってディスク１のリードイン領域に記録されているＴＯＣデータの読み出し動作が行われる。
【００３７】
ディスク１に記録されている信号の読み出し動作は、ＴＯＣデータに基いて光学式ピックアップ４を所望の位置に移動させることによって行われる。光学式ピックアップ４に組み込まれている光検出器にて再生される信号は、ＲＦ信号増幅回路５に入力されて増幅されるとともに２値化されて出力されることになる。
【００３８】
前記RF信号増幅回路５から出力された２値化された信号は、デジタル信号処理回路７に入力されてデジタル信号処理され、各種の信号が復調されることになる。前記デジタル信号処理回路７によるデジタル信号処理が行われて情報データが抽出されると、該情報データは誤り訂正等の信号処理が行われた後、信号再生用回路８に印加される。
【００３９】
そして、前記信号再生用回路８は、ディスク１から読み出された情報データがオーディオ信号である場合には、アナログ信号に変換した後増幅器等に出力し、コンピューターソフトのようなデータ信号の場合にはデジタル信号のままコンピューター装置９に出力することになる。
【００４０】
以上に説明したように本実施例における再生動作は行われるが、次にディスク１への信号の記録動作について説明する。
【００４１】
ディスク１に信号を記録する動作は、まずディスク１に設けられている試し書き領域Ａにテスト信号を記録した後該信号を再生することにより記録動作に最適なレーザー出力を設定することから開始されるが、斯かる動作は周知であるのでその説明は省略する。
【００４２】
記録動作を行うために適したレーザー出力の設定動作が終了すると、ディスク１に設けられているＰＭＡ領域Ｂに記録されている情報データ、即ち信号が記録される領域である信号信号記録領域に記録されている信号の位置情報等を読み出す動作が行われる。斯かる情報データを読み出すことによって信号記録領域に信号の記録動作を行うことが出来るか、また記録動作を行う位置は何処か等の認識動作が行われる。
【００４３】
斯かる認識動作が行われると、光学式ピックアップ４を記録開始位置に移動させる動作、レーザー駆動回路１２からレーザーダイオードに対して出力される駆動信号のレベル調整動作が行われる。一方コンピューター装置９から出力される記録信号は、バッファ用ＲＡＭ１１に一旦記憶されるとともにディスク１への信号の記録動作に応じて読み出されることになる。
【００４４】
前記バッファ用ＲＡＭ１１から読み出された記録信号は、信号記録用回路１３に入力されるとともに該信号記録用回路１３によりエンコード処理された後レーザー駆動回路１２に入力される。その結果、レーザー駆動回路１２から記録信号に応じた駆動信号がレーザーダイオードに供給され、該レーザーダイオードからレーザー光が放射される。斯かるレーザー光が放射される結果、ディスク１の信号記録領域に信号が記録されることになる。
【００４５】
ディスク１の信号記録領域への信号の記録動作は前述したように行われるが、第１信号記録領域Ｃへの記録動作が行われているときには、スピンドルモーター駆動回路１４によるスピンドルモーター３に対する回転駆動制御動作によってディスク１は、第１線速度一定、例えば規定の線速度の４倍の線速度一定にて駆動され、第２信号記録領域Ｄへの記録動作が行われているときには、スピンドルモーター駆動回路１４によるスピンドルモーター３に対する回転駆動制御動作によってディスク１は、第２線速度一定、例えば規定の線速度の８倍の線速度一定にて駆動される。
【００４６】
前述したようにゾーンＣＬＶ方式によるディスク１への記録動作が行われるので、第１信号記録領域Ｃにおける線速度と第２信号記録領域Ｄにおける線速度とは相違することになる。そして、記録動作中に記録位置が第１信号記録領域Ｃと第２信号記録領域Ｄとの境界に達すると、ディスク１の回転速度の変更動作が行われるが、斯かる速度変更動作が行われている間ディスク１への信号記録動作は中断された状態にあり、速度変更後にディスク１の回転速度が第２線速度一定の状態で安定したときディスク１への記録動作が再開される。
【００４７】
コンピューター装置９から出力される記録信号の容量が不足しなかった場合、即ちバッファアンダーラン状態にならなかった場合には、第１信号記録領域Ｃ及び第２信号記録領域Ｄへの記録動作がゾーンＣＬＶ方式によって行われるが、次にバッファアンダーランが発生する場合の動作について説明する。
【００４８】
第１信号記録領域Ｃ及び第２信号記録領域Ｄへの信号の記録動作が行われている状態において、バッファ用ＲＡＭ１１に記憶される記録信号の容量が不足すると、ディスク１への記録動作を続けることができない状態、即ちバッファアンダーラン状態になる。斯かる状態になると、ディスク１への信号の記録動作を中断させる制御動作が行われる。記録動作が中断された状態において、コンピューター装置９から出力される記録信号がバッファ用ＲＡＭ１１に書き込まれ、その記憶容量が所定量に達するとディスク１への記録動作が再開される。
【００４９】
斯かるディスク１への信号の記録再開動作は、ディスク１に記録中断前に記録されていた信号に含まれる同期信号と記録用の同期信号との同期をとることによって行われるが、斯かる制御動作は周知の技術を使用することによって行うことが出来るのでその説明は省略する。
【００５０】
バッファアンダーランが発生しても前述した記録中断再開動作を行うことによってディスク１への信号の記録動作を支障なく行うことは出来るが記録時間が長くなるという問題がある。本発明は、第１信号記録領域Ｃへの記録動作を行っているときに発生するバッファアンダーランの回数をバッファアンダーラン回数カウント回路１５によってカウントし、そのカウント数によって第２信号記録領域Ｄにおける線速度を第２線速度に変更するか否かを選択的に行うようにしたものである。
【００５１】
即ち、第２線速度より遅い第１線速度一定の状態にて信号の記録動作を行っている第１信号記録領域Ｃにおいて、バッファアンダーランが所定回数以上発生すると、第２線速度一定にて信号の記録動作を行う第２信号記録領域Ｄにおいては更に多くのバッファアンダーランが発生することになる。従って、第１信号記録領域Ｃにおいて、バッファアンダーランが所定回数以上発生した場合には、信号の記録位置が第２信号記録領域Ｄに達してもディスク１の線速度を第２線速度に変更する動作を行わない。即ち、斯かる場合には、第１信号記録領域Ｃだけでなく第２信号記録領域Ｄにおけるディスク１の回転速度は第１線速度一定にて行われる。このように線速度の変更動作は行われないが、ディスク１への信号の記録時間は、速度変更を行った場合と比較して短くなる。
【図面の簡単な説明】
【００５２】
【図１】本発明に係る光ディスク記録再生装置の一実施例を示す回路図である。
【図２】本発明に係る光ディスクを示す平面図である。
【符号の説明】
【００５３】
１        ディスク
３        スピンドルモーター
４        光学式ピックアップ
５        ＲＦ信号増幅回路
７        デジタル信号処理回路
９        コンピューター装置
１０        システム制御回路
１１        バッファ用ＲＡＭ
１２        レーザー駆動回路
１３        信号記録用回路
１４        スピンドルモーター駆動回路
１５        バッファアンダーラン回数カウント回路
【図１】
2005196911.tif 000003
【図２】
2005196911.tif 000004